(57)【要約】【課題】空気浄化部を出し入れする開口部に着脱自在に嵌着する蓋体が有する係止手段が突出せず、利便性の良い空気清浄機を提供する。【解決手段】筐体の後カバー６３は、空気を浄化する空気浄化部１１を出し入れする吸込口３３を有し、後パネル７は、複数の通気孔を有し吸込口３３に着脱自在に嵌着される。後パネル７の複数の通気孔から外部の空気が吸い込まれ、吸い込んだ空気が空気浄化部１１により浄化されて吹き出される。後パネル７は、縁部に、吸込口３３に係止する係止突部を設けた可撓片７３、及び指掛け凹部７２を有する。【選択図】図５
2013078719.tif 000002
【特許請求の範囲】
【請求項１】
空気を浄化する空気浄化部を出し入れする開口部を一面に有する筐体と、
複数の通気孔を有し、前記開口部に着脱自在に嵌着する蓋体とを備え、
前記蓋体の通気孔から吸い込んだ空気を前記空気浄化部により浄化して吹き出す空気清浄機において、
前記蓋体は、
縁部に、前記開口部に係止される係止突部を設けた可撓片、及び指掛け凹部を有することを特徴とする空気清浄機。
【請求項２】
前記筐体は、前記開口部を側面に有し、
前記蓋体は、矩形状をなし、上縁部に、前記可撓片、及び前記指掛け凹部を有することを特徴とする請求項１に記載の空気清浄機。
【請求項３】
前記蓋体は、前記指掛け凹部の両側に前記可撓片を有することを特徴とする請求項１又は請求項２に記載の空気清浄機。
【請求項４】
前記係止突部は、角錐台形状であることを特徴とする請求項１から３のいずれか１つに記載の空気清浄機。
【請求項５】
前記筐体の底部にキャスターを備えたことを特徴とする請求項１から請求項４のいずれか１つに記載の空気清浄機。
【発明の詳細な説明】
【技術分野】
【０００１】
本発明は、吸い込んだ空気を清浄化して吹き出す空気清浄機に関する。
【背景技術】
【０００２】
室内の空気には、塵埃、花粉、タバコの煙、呼気等のように、人体に不快又は有毒とされる様々な物質が含まれている。特に近年では、住宅が高気密化されていることから、有害物質が室内に溜まり易い。そのため、大気汚染のひどい地域や、花粉症の患者がいる家庭や職場等では部屋の窓を開ける自然換気が行いにくいので、室内の空気を浄化するフィルタにより空気を清浄する機能を有する空気清浄機が広く普及してきている。
【０００３】
空気を浄化するとともに、空気をより快適な湿度に調節するために、加湿機能を持たせた空気清浄機も製品化されており、このような空気清浄機では、フィルタ部を通過することによって浄化された空気が、さらに加湿フィルタを通過することによって加湿される。
【０００４】
また、プラスイオンであるＨ+ （Ｈ2 Ｏ）n （ｎは自然数）及びマイナスイオンであるＯ2 - （Ｈ2 Ｏ）m （ｍは自然数）を発生するイオン発生器を備え、吸い込んだ空気とともにイオンを吹き出し、空気中を浮遊するカビ及び細菌等を不活性化する空気清浄機も製品化されている。
【０００５】
特許文献１には、吸込口から空気を吸い込んで吹出口から吹き出させるための送風機、吸込口から吸い込まれる空気に含まれる粗い塵埃を捕集する第１集塵フィルタと、空気の臭いを除去する脱臭フィルタと、空気に含まれる細かい塵埃を捕集する第２集塵フィルタを備えた空気清浄機が記載されている。この従来の空気清浄機では、吸込口に連通するフィルタ収納室に、第１集塵フィルタ、脱臭フィルタ、及び第２集塵フィルタを通風方向に対して交差する方向に並べて配置し、複数の通風孔を有する後部パネルにより吸込口を閉塞してある。このように、第１集塵フィルタ、脱臭フィルタ、及び第２集塵フィルタが夫々通風方向に対して交差する方向に配されているため、例えば、脱臭部が通風方向に沿って配されている場合と比べて通風方向の寸法を小さく、空気清浄機の大型化を抑制しつつ、脱臭能力を向上させることができるというものである。
【先行技術文献】
【特許文献】
【０００６】
【特許文献１】特開２００９−０６６４６６号公報
【発明の概要】
【発明が解決しようとする課題】
【０００７】
しかしながら、特許文献１に記載の従来の空気清浄機では、吸込口を閉塞する後部パネルの上部に横転Ｊ字状の係止摘みが設けてあり、該係止摘みのＪ字始端側が後部パネルの内面側から外面側へ突出するようにしてあるため、吸込口に後部パネルが取り付けられた状態で、後部パネル面から係止摘みが突出するものであった。このため、突出した係止摘みが空気清浄機外部の物品に当接して、空気清浄機本体を運搬しにくい状況が生じたり、係止摘みに意図しない外部からの力が加わったときに後部パネルが外れてしまうなど、使用者の利便性が損なわれるという問題があった。
【０００８】
本発明は斯かる事情に鑑みてなされたものであり、その目的とするところは、空気浄化部を出し入れする開口部に着脱自在に嵌着する蓋体が有する係止手段が突出せず、利便性の良い空気清浄機を提供することにある。
【課題を解決するための手段】
【０００９】
本発明に係る空気清浄機は、空気を浄化する空気浄化部を出し入れする開口部を一面に有する筐体と、複数の通気孔を有し、前記開口部に着脱自在に嵌着する蓋体とを備え、前記蓋体の通気孔から吸い込んだ空気を前記空気浄化部により浄化して吹き出す空気清浄機において、前記蓋体は、縁部に、前記開口部に係止される係止突部を設けた可撓片、及び指掛け凹部を有することを特徴とする。
【００１０】
本発明にあっては、筐体が、空気浄化部を出し入れする開口部を有し、該開口部に着脱自在に嵌着する蓋体が、縁部に、開口部に係止される係止突部を設けた可撓片、及び指掛け凹部を有するため、開口部に着脱自在に嵌着する蓋体が有する係止手段が突出せず、利便性が良い。
【００１１】
本発明に係る空気清浄機は、前記筐体は、前記開口部を側面に有し、前記蓋体は、矩形状をなし、上縁部に、前記可撓片、及び前記指掛け凹部を有することを特徴とする。
【００１２】
本発明にあっては、筐体が、開口部を側面に有し、蓋体は、矩形状をなし、上縁部に、可撓片、及び指掛け凹部を有するため、空気清浄機本体の上部の位置で、指掛け凹部に指を掛けて蓋体の取り外しができるので作業性がよい。
【００１３】
本発明に係る空気清浄機は、前記蓋体は、前記指掛け凹部の両側に前記可撓片を有することを特徴とする。
【００１４】
本発明にあっては、蓋体が、指掛け凹部の両側に可撓片を有するため、結合箇所が多くなり、より確実に蓋体を開口部に結合できる。
【００１５】
本発明に係る空気清浄機は、前記係止突部は、角錐台形状であることを特徴とする。
【００１６】
本発明にあっては、係止突部が、角錐台形状であるため、角錐台の傾斜面が開口部に当接し、蓋体の取付け及び取外しの際に加える力を低減することができる。
【００１７】
本発明に係る空気清浄機は、前記筐体の底部にキャスターを備えたことを特徴とする。
【００１８】
本発明にあっては、筐体の底部にキャスターを備えたため、空気清浄機の運搬が容易に行えるとともに、開口部に着脱自在に嵌着する蓋体が有する係止手段が突出せず、運搬の際の利便性が向上する。
【発明の効果】
【００１９】
本発明によれば、筐体が、空気浄化部を出し入れする開口部を有し、該開口部に着脱自在に嵌着する蓋体が、縁部に、開口部に係止される係止突部を設けた可撓片、及び指掛け凹部を有するので、開口部に着脱自在に嵌着する蓋体が有する係止手段が突出せず、利便性が良い。
【図面の簡単な説明】
【００２０】
【図１】本発明の実施の形態に係る空気清浄機の正面側の斜視図である。
【図２】図１の空気清浄機の背面側の斜視図である。
【図３】図１の空気清浄機の側断面図である。
【図４】図２の後パネルの斜視図である。
【図５】空気浄化部の出し入れについて説明するための模式図である。
【図６】後パネルの取付け前の状態を示す吸込口及び後パネル上部の断面図である。
【図７】後パネルの取付け途中の状態を示す吸込口及び後パネル上部の断面図である。
【図８】後パネルの取付け後の状態を示す吸込口及び後パネル上部の断面図である。
【発明を実施するための形態】
【００２１】
以下、本発明に係る空気清浄機の実施の形態を図面に基づいて説明する。
【００２２】
図１は本発明の実施の形態に係る空気清浄機１の正面側の斜視図、図２は図１の空気清浄機１の背面側の斜視図、図３は図１の空気清浄機１の側断面図、図４は図２の後パネル７の斜視図である。図３において、紙面左側は空気清浄機１の正面側（前側）、紙面右側は空気清浄機１の背面側（後側）であり、紙面垂直方向は空気清浄機１の左右方向である。
【００２３】
本実施形態の空気清浄機１は、脱臭及び集塵による空気清浄機能と、正イオン及び負イオン（以下、正負イオンという）による空気清浄機能と、空気加湿機能とを有する。図１〜図３に示すように、空気清浄機１は縦型直方体状の筐体６を備え、図３に示すように、空気清浄機１は壁Ｗ及び床Ｆを有する室内において、筐体６の背面側が壁Ｗに対面する姿勢で、床Ｆに載置される。本実施形態の空気清浄機は、筐体６の内部に互いに区画されている第１通風路３、第２通風路４、及び制御室６０を備え、筐体６の天面カバー６２に操作パネル２、底部カバー６４にキャスター１５，１５を備えている。
【００２４】
まず、第１通風路３について説明する。第１通風路３には、空気浄化部１１、加湿フィルタユニット５、第１送風機１３等が配されている。第１通風路３は、隔壁３１により後側（背面側）のフィルタ収容部３ａと前側（正面側）の吹出風路３ｂとに分割されている。筐体６の後カバー６３は空気浄化部１１を出し入れするための開口部である吸込口３３を有している。フィルタ収容部３ａは、吸込口３３を介して外部に連通している。また、吹出風路３ｂは、筐体６の天面カバー６２に開設された吹出口３４を介して外部に連通しており、更にフィルタ収容部３ａと吹出風路３ｂは、隔壁３１の下部に設けた開口３１ａを経て相互に連通している。後パネル７は、開口部である吸込口３３に着脱可能に嵌着し、複数個の通気孔７１，７１，…が形成されている。従って、詳細には吸込口３３を介して通流する空気とは、通気孔７１，７１，…を介して通流する空気のことである。空気浄化室３５には、空気浄化部１１が収容されている。
【００２５】
空気浄化部１１は、ともに矩形形状の脱臭フィルタ１１１及び集塵フィルタ１１２を備える。脱臭フィルタ１１１は、例えば、不織布に活性炭を分散保持させた構成であり、通気中の臭い成分を吸着、除去する作用をなす。集塵フィルタ１１２は、例えば、公知のＨＥＰＡ（High Efficiency Particulate Air）フィルタであり、通気中に含まれる微細な塵埃を捕集、除去する作用をなす。従って、空気浄化部１１を通過した空気は、臭い成分が吸着、除去され、塵埃が捕集、除去されることによって浄化される。空気浄化部１１によって浄化された空気は、加湿フィルタユニット５により加湿される。
【００２６】
後パネル７は、例えば合成樹脂製等の正面視矩形平板状の蓋体である。後パネル７は、上述のように複数の通気孔７１，７１，・・・、を有し、さらに指掛け凹部７２，７２、複数の可撓片７３，７３、・・・，フィルタ押え部７５，爪７４を備える。
【００２７】
指掛け凹部７２，７２は、後パネル７の上縁７ｂにおいて左右に１つずつ設けられている。指掛け凹部７２，７２は、外面７ａ側から内面側に向けて、外面７ａに垂直に両縁を立てて半筒状に形成された壁面、及び内面側の壁面を備える。外面７ａに垂直な半筒状の壁面の高さは、該壁面に指先が掛けられる程度の寸法（例えば５ｍｍ〜１５ｍｍ程度）であればよい。図４に示す指掛け凹部７２，７２は、外面７ａ側から見ても、上縁７ｂから見ても凹部になっているが、上縁７ｂ側に開口しているためである。指掛け凹部７２，７２は、上縁７ｂ側にも壁面を有していても良く、この場合には、指掛け凹部７２，７２は外面７ａから凹んで形成されている。また、指掛け凹部７２，７２は、上縁７ｂから離隔して形成されていてもよい。
【００２８】
可撓片７３，７３、・・・は、後パネル７の上縁７ｂにおいて、指掛け凹部７２，７２の両側の近傍に夫々２つずつ設けられている。可撓片７３，７３、・・・は、外面７ａ側から内面側に向けて、突出して設けてあり、先端部には、開口部である吸込口３３に係止する角錐台形状の係止突部７３ｃを夫々有する。可撓片７３，７３、・・・は、薄い板面に垂直に撓みが生じる。
【００２９】
爪７４は、下縁７ｄに設けてあり、開口部である吸込口３３に係止する。また、フィルタ押え部７５は、柱状をなす部材であり、後パネル７の側縁７ｃにおいて、外面７ａ側から内面側に向けて、突出して設けられている。フィルタ押え部７５は、内面側の先端部分が空気浄化部１１を押えるように機能する。
【００３０】
加湿フィルタユニット５は、加湿フィルタ５０、水受け皿５１、駆動ギア５２及び電動モータ５３を備え、空気浄化部１１の下流側であって、開口３１ａの上流側に配してある。加湿フィルタ５０は、不織布等、高い含水性を有すると共に通気が可能な材料製のシートであり、通気する空気との接触面積を増すべく蛇腹状に折り重ね、中空の円盤形をなす保持枠５４に収納されている。水受け皿５１は、公知の定水位弁などを用いてほぼ一定水位の水を貯留し、内部に設けた２つのローラ部材（図示略）により加湿フィルタ５０及び保持枠５４を支持する。
【００３１】
保持枠５４の外周に沿って従動ギア５５が取り付けてあり、従動ギア５５と、加湿フィルタ５０上部に配置した駆動ギア５２とが噛合している。加湿フィルタ５０上部に配置した電動モータ５３により駆動ギア５２を回転させると、駆動力が従動ギア５５に伝達され、加湿フィルタ５０及び保持枠５４が回転する。加湿フィルタ５０は、回転することによって水受け皿５１に浸漬した部分が順次周方向に移動して水を吸い上げ、加湿フィルタ５０の全体が水分を含んだ状態になる。その結果、加湿フィルタ５０を通過した空気は加湿される。一方、加湿フィルタ５０が回転していないときには、加湿フィルタ５０を通過した空気はほとんど吸湿しない。
【００３２】
第１送風機１３は、ファンモータ１３１、ファン１３２を備え、ファンモータ１３１はファン１３２を回転駆動する。ファン１３２は、外縁に対し回転中心側が回転方向へ変位する複数の羽根を有する多翼羽根車、換言すると円筒形状をなすシロッコファンである。ファンモータ１３１は、吹出風路３ｂの壁の外部に固定されている。ファン１３２は、ファンモータ１３１の出力軸に固定され、隔壁３１下部の開口３１ａに対向配置してある。ファン１３２が回転した場合、図３中に白抜の矢印にて示すように、吸込口３３を経てフィルタ収容部３ａの内部に外気が導入され、フィルタ収容部３ａの内部を前方向に流れて隔壁３１下部の開口３１ａを経てファン１３２に吸い込まれる。ファン１３２に吸い込まれた空気は上向きに方向を変えて吹出風路３ｂの内部に導出され、吹出風路３ｂの末端の吹出口３４を経て外部に送り出される。
【００３３】
また、吹出風路３ｂにおいて、ファン１３２からの空気を吹出口３４へ導く通風路壁面３６ａ，３６ｂは、前下側から後上方へ傾斜するように配してあり、吹出口３４に設けた風向規制板３７，３７，…も前下側から後上方へ傾斜するように配してある。これにより、第１通風路３は、後方斜め上方向に向かって吹出口３４から空気を吹き出す。なお、後方斜め上方向に向かって吹き出された空気は、壁Ｗに沿って上昇し、天井に沿って壁Ｗから離れる方向へ流れ、部屋の逆側の壁付近で下降し、床Ｆに沿って壁Ｗ方向に流れることにより、部屋の中を循環する。
【００３４】
つぎに、第２通風路４について説明する。第２通風路４には、エアフィルタ４０、第２送風機１４、イオン発生器１２、及びイオンセンサ１７等が配されている。第２通風路４は、第２送風機１４により下側の吸込室４ａと上側の吹出室４ｂとに分割されている。筐体６の前面部６１は、前パネル６１１、前カバー６１２を有し、吸込口４１は前カバー６１２に設けられている。前パネル６１１は、吸込口４１の上方及び左右両側方を前側から被覆している。吸込室４ａは、吸込口４１を介して外部に連通している。吹出口４２は、筐体６の前パネル６１１と天面カバー６２との境界部分に開口しており、吹出室４ｂは、吹出口４２を介して外部に連通しており、吸込室４ａと吹出室４ｂは、第２送風機１４を経て相互に連通している。
【００３５】
エアフィルタ４０は、例えば荒い格子状のネットであり、吸込口４１に着脱可能に配されている。エアフィルタ４０は、吸込室４ａへ流入する空気に含まれている粗い塵埃を捕集し除去する。
【００３６】
第２送風機１４は、ファンモータ（図示略）とファン１４２とを備え、ファンモータはファン１４２を左右方向の軸まわりに回転駆動する。ファン１４２は、回転中心に対し外縁側が回転方向へ変位する複数の羽根を有する円筒形状をなす多翼羽根車を有するクロスフローファンである。ファン１４２は、回転中心の方向が空気清浄機１の左右方向となるように配してある。ファンモータは、支持部（図示略）によって筐体６の内部に固定されている。ファン１４２は、ファンモータの出力軸に固定され、ファンモータの駆動によって回転する。ファン１４２が回転することによって、図３中の実線の矢印にて示すように、室内の空気（詳細には、筐体６の前下方の空気）は、吸込口４１を介して第２通風路４へ吸い込まれ、吸い込まれた空気は、吸込室４ａから吹出室４ｂへ通流し、吹出口４２を介して室内へ吹き出す。吹出室４ｂの壁面には、上流側にイオン発生器１２、下流側にイオンセンサ１７が夫々配されている。
【００３７】
イオン発生器１２は、吹出室４ｂの壁に固定され、針状の放電電極及び該放電電極に対向配置された誘導電極を有し、高電圧を印加された放電電極がコロナ放電を起こして正負イオンを発生させる。イオン発生器１２の放電電極は、吹出室４ｂに露出しており、発生した正負イオンは、吹出室４ｂを通流する空気中に浮遊し、吹出口４２から空気とともに外部に送り出される。吹出口４２を介して吹き出した空気とともに室内へ放出された正負イオンは、菌類、ウィルス、及びアレルゲン等を死滅又は不活性化させ、悪臭の原因となる物質（例えばアセトアルデヒドのような有機化合物）を分解する。
【００３８】
イオンセンサ１７は、吹出室４ｂを通流する正負イオンを検出する。この検出結果は、吹出室４ｂを通流する正負イオンの多寡、延いてはイオン発生器１２で発生した正負イオンの多寡を示すものである。イオン発生器１２で発生した正負イオンの量が所定量を下回る場合、イオン発生器１２に汚損又は劣化等が生じていることがわかる。
【００３９】
吸込室４ａにおいては、前下側から後上側へ傾斜して空気が通流し、吹出室４ｂにおいては、前上側へ傾斜して空気が通流する。また、風向規制板４３は、空気が流れる向きを規制するために吹出口４２に配してあり、第２通風路４は、吹き出した空気が室内の中央部分に到達し易いように、前方の斜め上方へ空気が吹き出す。
【００４０】
第２通風路４から吹き出す空気の方向は、第１通風路３から吹き出す空気の方向と異なっている。即ち、第１通風路３からは、後方斜め上方向に向かって空気を吹き出し、第２通風路４からは、前方の斜め上方へ空気を吹き出しており、第１通風路３及び第２通風路４から斜め上方、かつ平面視が相反する方向へ夫々空気を吹き出すものである。
【００４１】
次に空気浄化室３５への空気浄化部１１の取り付け及び取り外しについて説明する。空気浄化部１１は、長時間使用していると、塵埃や臭気が付着して汚れが進み、塵埃や臭気の吸着力が低下し、空気を吸い込む抵抗となって、空気清浄機の浄化効率、電力効率を低下させる。汚れが進んだ空気浄化部１１は、洗浄するか交換するために、空気浄化室３５から取り外し、洗浄又は交換後、空気浄化室３５に取り付ける必要がある。
【００４２】
図５は空気浄化部１１の出し入れについて説明するための模式図、図６は後パネル７の取付け前の状態を示す吸込口３３及び後パネル７上部の断面図、図７は後パネル７の取付け途中の状態を示す吸込口３３及び後パネル７上部の断面図、図８は後パネルの取付け後の状態を示す吸込口３３及び後パネル７上部の断面図である。空気浄化部１１は、開口部である吸込口３３から挿入し、空気浄化室３５の下面３５ａに載置する。空気浄化室３５の上面３５ｃは下面３５ａに比べて、空気浄化部１１を挿入する方向（前後方向）の寸法が長く、空気浄化部１１が当接する端面３５ｂは上部側が、前方向に傾斜している。空気浄化部１１は、下面３５ａに載置した状態では垂直に立っているが、さらに後パネル７を嵌着することにより、フィルタ押え部７５により前方向に傾斜するように押されて、端面３５ｂに沿って傾斜した状態で取り付けられる。このように空気浄化部１１を傾斜させることにより、空気浄化部１１と後パネル７との間に隙間が設けられ、外部からの空気の吸込み抵抗が小さくなるとともに、空気浄化部１１の全体に外部からの空気を通流させることができる。
【００４３】
吸込口３３に後パネル７を取り付ける場合、使用者は、後パネル７を保持して、後パネル７の下縁７ｄに設けた爪７４を、吸込口３３の下縁部３３ｂに形成されている係止穴３３ｄに上から下へ挿入する。次に、使用者が、爪７４を支点として後パネル７を吸込口３３に嵌め合わせていくと、図６に示すように後パネル７の上縁が筐体６の後カバー６３に接近する状態となる。可撓片７３，７３，・・・は、夫々の角錐台形状の係止突部７３ｃの傾斜面が後カバー６３と吸込口３３の上縁部３３ａとの角に当接すると、該角に押下されて撓み始める。さらに、使用者が後パネル７の外面７ａを手で押し込んでいくと、図７に示すように、後パネル７の可撓片７３，７３，・・・の撓みが進み、係止突部７３ｃの上部が吸込口３３の上縁部３３ａに当接する。さらに、使用者が後パネル７を押し込んでいくと、図８に示すように、可撓片７３，７３，・・・夫々の係止突部７３ｃが係止部３３ｃに係合され、この結果、後パネル７が筐体６に結合される。
【００４４】
吸込口３３から後パネル７を取り外す場合、使用者は、指掛け凹部７２に指を掛けて、手前に引くようにして、後パネル７の上縁７ｂに後向きの力を与える。使用者が力を与えると、可撓片７３，７３，・・・は、夫々の係止突部７３ｃの傾斜面が係止部３３ｃに当接して押下され、撓みを生じる。使用者が指掛け凹部７２に指を掛けて後パネル７の上縁７ｂに与える後向きの力が大きくなると、図７に示すように、後パネル７の可撓片７３，７３，・・・の撓みが進み、係止突部７３ｃと係止部３３ｃとの係止が外れ、夫々の係止突部７３ｃの上部が吸込口３３の上縁部３３ａに当接する。さらに、使用者が、指掛け凹部７２に指を掛けて手前に引くことにより、後パネル７は吸込口３３から取り外される。後パネル７の取り外し後、空気浄化部１１は空気浄化室３５から取り外される。
【００４５】
ここで、吸込口３３から後パネル７を取り外す場合には、使用者は手前に引く力によって後パネル７を取り外すが、指掛け凹部７２に指を掛けて、下方向に指掛け凹部７２を押える力を加えると、手前に引く力を加え易くなる。これは、下方向に指掛け凹部７２を押える力によって、指先と指掛け凹部７２との間の摩擦力が増大し、後パネル７を手前に引く際に、指先と指掛け凹部７２とが滑りにくくなるためである。
【００４６】
以上のように、後パネル７に指掛け凹部７２，７２及び可撓片７３，７３，・・・を設けることによって、後パネル７を筐体６に取り付けた状態で、可撓片７３，７３，・・・が筐体６の内部に入り込み、図２に示すように、指掛け凹部７２，７２は後パネル７の外面７ａから凹んでいるので、筐体６の後カバー６３の開口部（吸込口３３）へ後パネル７取り付けるための係止手段（指掛け凹部７２，７２及び可撓片７３，７３，・・・）が突出することがない。これによって、突出した係止手段によって生じる運搬の不便、又は後パネル７の意図しない外力による外れが無くなり、使用者の利便性が向上する。
【００４７】
また、筐体６が開口部である吸込口３３を側面（後カバー６３）に有し、後パネル７が矩形状で、上縁７ｂに指掛け凹部７２，７２及び可撓片７３，７３，・・・を設けてあることにより、空気清浄機本体の上部の位置で、指掛け凹部７２，７２に指を掛けて、後パネル７の取り外しができるので作業性がよい。また、指掛け凹部７２，７２を押える力を加えても、空気清浄機本体を床Ｆに押し付けることになり、後パネル７の取り外しの際に空気清浄機本体が転倒しにくい。
【００４８】
また、指掛け凹部７２，７２の両側に可撓片７３，７３，・・・を設けてあることにより、後パネル７を筐体６の後カバー６３の開口部（吸込口３３）に結合する箇所が多くなり、より確実に後パネル７を筐体６の後カバー６３の開口部（吸込口３３）に結合させることができる。
【００４９】
また、可撓片７３，７３，・・・に設けた係止突部７３ｃを角錐台形状の突起とすることにより、係止突部７３ｃの角錐台の傾斜面が、後カバー６３と吸込口３３の上縁部３３ａとの角、及び係止部３３ｃに当接するので、後パネル７の取付け及び取外しの際に加える力を低減することができる。
【００５０】
また、上述のように、第１通風路３及び第２通風路４で夫々、空気を通流させることにより、本実施の形態に係る空気清浄機は、第１通風路３によって空気清浄力を高めつつ、第２通風路４によって前方上方でのイオン濃度を高めるようにイオンを送風することができる。また、車輪を備えたキャスター１５，１５によって、空気清浄機の運搬が容易になるとともに、キャスター１５，１５で空気清浄機本体を動かしたときでも、筐体６の後カバー６３の開口部（吸込口３３）へ後パネル７を取り付けるための係止手段が突出していないので、係止手段が運搬作業中に他の外部の物品に当接したりすることがなく、使用者の利便性が向上する。
【００５１】
なお、本発明は、本実施の形態だけに限ることなく、特許請求の範囲に記載された発明の技術的範囲及びそれと均等な範囲に及ぶものとする。
【符号の説明】
【００５２】
１１  空気浄化部
１５  キャスター
３３  吸込口（開口部）
６  筐体
７  後パネル（蓋体）
７１  通気孔
７２  指掛け凹部
７３  可撓片
７３ｃ  係止突部
【図１】
2013078719.tif 000003
【図２】
2013078719.tif 000004
【図３】
2013078719.tif 000005
【図４】
2013078719.tif 000006
【図５】
2013078719.tif 000007
【図６】
2013078719.tif 000008
【図７】
2013078719.tif 000009
【図８】
2013078719.tif 000010